(57)【要約】【課題】  人体の大腿部や下腿部に当て、身体の良好な状態を維持・回復するための健康器具を提供する。【解決手段】幅Ｗが長く、奥行Ｄが短い水平な矩形平板の台座１１の上側平面部に、軸方向に垂直な断面の上側が略半円形の６〜１０個のそれぞれの棒状体１２を突出させて、第１の方向に平行で等間隔に配設し、各棒状体の上方頂部を結ぶ線が、中央部が高く両側に従って低い略円弧を形成する構造とし、棒状体の側を人体の大腿部や下腿部に当て、人体の自重を利用した押圧により指圧状態を得ることを特徴とする足枕式健康器具とする。【選択図】図１
0003198134.tif 000002
【実用新案登録請求の範囲】
【請求項１】
第１の方向（幅Ｗ）が長く、第１の方向に直角な第２の方向（奥行Ｄ）が短い水平な矩形平板の台座１１の上側平面部に、軸方向に垂直な断面の上側が略半円形の６〜１０個のそれぞれの棒状体１２を突出させて、第１の方向に平行で等間隔に配設し、第１の方向から見た第１方向に垂直な断面において、各前記棒状体の上方略頂部を結ぶ線が、前記台座の中央部が高く両側に従って低い略円弧を形成する構造とし、前記棒状体の側を人体の大腿部や下腿部に当て、人体の自重を利用した押圧により指圧状態を得ることを特徴とする足枕式健康器具。
【請求項２】
前記台座が、第１の方向（幅Ｗ）が３５〜４５ｃｍ、第２の方向（奥行Ｄ）が２５〜３５ｃｍ、高さＨが１．５〜３ｃｍであり、前記棒状体の断面の半円形が、半径ｒが０．５〜１．５ｃｍ、高さｈが０．５〜２．０ｃｍであって、長さが前記台座の幅Ｗの寸法と略同一の棒状とした構造としたことを特徴とする請求項１に記載の足枕式健康器具。
【考案の詳細な説明】
【技術分野】
【０００１】本考案は、人体の大腿部や下腿部に当て、身体の良好な状態を維持・回復するための健康器具に関する。
【背景技術】
【０００２】これまで、床面やベッド面に設置し、横たわって人体の脚部を装置の上に置いて疲れを取る器具がある。例えば、低反発発砲ポリウレタンの枕本体の上面に斜面部、丘部、窪み部、山部、段丘部が形成され、使用者は仰向けで下肢の膝から下の部分を足枕の形状に合わせて載せるという例が開示されている（例えば、特許文献１参照）。
また、床面に設置し横たわった人体の腰部に当てて腰部障害の治癒や腰部の正常な健康維持を目的とした健康器具は各種のものが考えられており、例えば台板に円面棒状の突起部を設けた例が開示されている（例えば、特許文献２参照）。また、床面設置型ではない方式で、平板に半円筒状の突出部を設けた例が開示されている（例えば、特許文献３参照）。
【先行技術文献】
【特許文献】
【０００３】
【特許文献１】特開２００７−２６０２６５号公報
【特許文献２】特開２００６−３４９０４号公報（第４頁、図１）
【特許文献３】実用新案登録第３１１２１６０号公報（第７頁、図１）
【考案の概要】
【考案が解決しようとする課題】
【０００４】各人は、身長、体重等さまざまに違いがあるため、何時でも何処でも利用できる手軽な器具がなく不快な状態を解消できないでいる。そこで本考案はそれぞれの人体ごとに適合する健康器具を提供することを目的とする。
【課題を解決するための手段】
【０００５】第１の方向（幅Ｗ）が長く、第１の方向に直角な第２の方向（奥行Ｄ）が短い水平な矩形平板の台座１１の上側平面部に、軸方向に垂直な断面の上側が略半円形の６〜１０個のそれぞれの棒状体１２を突出させて、第１の方向に平行で等間隔に配設し、第１の方向から見た第１方向に垂直な断面において、各前記棒状体の上方略頂部を結ぶ線が、前記台座の中央部が高く両側に従って低い略円弧を形成する構造とし、前記棒状体の側を人体の大腿部や下腿部に当て、人体の自重を利用した押圧により指圧状態を得ることを特徴とする足枕式健康器具とする。【０００６】より具体的には、前記台座が、第１の方向（幅Ｗ）が３５〜４５ｃｍ、第２の方向（奥行Ｄ）が２５〜３５ｃｍ、高さＨが１．５〜３ｃｍであり、前記棒状体の断面の半円形が、半径ｒが０．５〜１．５ｃｍ、高さｈが０．５〜２．０ｃｍであって、長さが前記台座の幅Ｗの寸法と略同一の棒状とした構造としたことを特徴とする請求項１に記載の足枕式健康器具とする。
使用方法は、本考案の足枕式健康器具を、前記棒状体の方向を人体の上下方向に対しておおよそ直角に置き、下腿部（すね）、膝、大腿部（ふともも）を載せて、適宜移動させながら、人体の自重を利用した押圧により、押し上げ揉み上げる状態を図り指圧状態とし、脚部のつぼを刺激し良好な状態を維持・回復する。
【考案の効果】
【０００７】上述のように、本考案の足枕式健康器具は各人の自重を利用するものであるため、身体に過度の負担をかけることなく、また利用者がそれぞれに合った状態で使用でき、安全性に優れており長時間使用することができる。また、本考案の足枕式健康器具を床に置いて足踏みすると足裏のつぼの刺激になる。
【図面の簡単な説明】
【０００８】
【図１】本考案の健康器具全体の形状を表す斜視図である。
【図２】本考案のＡ−Ａ断面で示す説明図である。
【図３】本考案の台座に取り付けた棒状体の詳細を示す断面図である。
【図４】本考案の使用状態を説明する平面図である。
【考案を実施するための形態】
【実施例】
【０００９】以下、本考案による実施例を図１〜４によって詳細に説明する。
図１は本考案による実施例の健康器具の全体を斜視図で示す。図２は図１のＡ−Ａ断面で表す説明図である。
本考案の水平な台座１１は、第１の方向の幅Ｗが長く、第１の方向に直角な第２の方向の奥行Ｄが短い矩形平板であって、その幅Ｗは、人体のそろえた大腿部や下腿部の幅を参考として余裕をもって少し大きめとする。台座１１の高さをＨとして、台座１１の上側平面部に、軸方向に垂直な断面の上側が略半円形の６〜１０個の棒状体１２を突出させて、第１の方向に平行で等間隔に配設する。
棒状体１２の形状は、軸方向に垂直な断面が上側が半径ｒの略半円形で、第１の方向に平行で適宜間隔をあけて複数配設する。
台座１１の大きさは、人体の大きさを考慮して幅Ｗは３５〜４５ｍ、奥行きＤは２５〜３５ｃｍ、高さＨは１．５〜３ｃｍとする。【００１０】図２に台座１１の上面に配設した棒状体１２の詳細を示す。この棒状体は台座１１の上面に接着あるいは着装して固定しても、台座と一体で成形してもかまわない。この半円形の棒状体１２の断面形状は、正確な半円でなくてもよく、半径ｒは０．５〜１．５ｃｍとする。棒状体の台座上面からの高さｈは、第１の方向から見た第１方向に垂直な断面において、台座の中央部の１２ａが高く両側に従って順次１２ｂ、１２ｃ、１２ｄと低くなるように、各棒状体の上方頂部を結ぶ線が、中央部高く両側に従って低くなるように略円弧を形成する構造とする。長さは前記台座の奥行き寸法Ｄと略同一の棒状とした形状が好ましい。
台座又は棒状体の材質は木製であってもプラスチックスなどの高分子材料であってもよい。
また、当該品全体は布やタオル地による外装袋で覆って使用してもよい。【００１１】図４は本考案の使用状態を説明する平面図である。敷き布団やシーツ１３の上に頭を載せる枕１４を置いた状態で、本考案の足枕式健康器具を、敷き布団の上に、前記棒状体の方向を人体の上下方向におおよそ直角に置き、下腿部（すね）１０ａ、膝１０ｂ、大腿部（ふともも）１０ｃの位置で、適宜移動させながら、人体の自重を利用した押圧により、押し上げ揉み上げる状態を図り指圧状態とし、人体のつぼを刺激し良好な状態を維持・回復する。
【符号の説明】
【００１２】１０  足枕式健康器具
１１  台座
１２  棒状体
Ｗ  台座の幅
Ｄ  台座の奥行
Ｈ  台座の高さ
ｈ  棒状体の高さ
ｒ  棒状体の半径
【図１】
0003198134.tif 000003
【図２】
0003198134.tif 000004
【図３】
0003198134.tif 000005
【図４】
0003198134.tif 000006